(57)【要約】【課題】一つの吐出具から入浴用泡と泡より流量の多い湯水を選択的に吐出させる吐出パターンを安定させる。【解決手段】泡を供給する泡供給路３ａ及び泡より流量の多い湯水を供給する湯水供給路４ａにノズル流路３２の上流側３２ａを連通させて、ノズル流路３２の下流端に吐出口３３を開設したノズル３１を備え、ノズル流路３２は、上流側から吐出口へ向かう縦方向を横断する横方向に沿った幅寸法を厚み寸法より大きく形成した全体領域Ｅを横方向でスリット領域Ｆと拡大領域Ｇとに区分し、スリット領域Ｆがその幅寸法をその厚み寸法より大きくし、拡大領域Ｇがその厚み寸法をスリット領域の厚み寸法より大きくし且つその幅寸法をその厚み寸法と同等又はそれ以上とし、選択的に供給される湯水を全体領域Ｅから吐出させると共に泡を拡大領域Ｇから吐出させる。【選択図】図１
2011130911.tif 000002
【特許請求の範囲】
【請求項１】
入浴用泡を供給する泡供給路及び泡より流量の多い湯水を供給する湯水供給路にノズル流路の上流側を連通させると共にノズル流路の下流端に吐出口を開設したノズルを備え、選択的に供給される泡又は湯水を吐出口から吐出させるようにした泡・湯水吐出具であって、ノズル流路は、上流側から吐出口へ向かう縦方向を横断する横方向に沿った幅寸法を厚み寸法より大きく形成した全体領域を横方向でスリット領域と拡大領域とに区分し、スリット領域がその幅寸法をその厚み寸法より大きくし、拡大領域がその厚み寸法をスリット領域の厚み寸法より大きくし且つその幅寸法をその厚み寸法と同等又はそれ以上とし、湯水を全体領域から吐出させると共に、泡を拡大領域から吐出させるようにしたことを特徴とする泡・湯水用吐出具。
【請求項２】
両側のスリット領域の間に拡大領域を形成した請求項１記載の泡・湯水用吐出具。
【発明の詳細な説明】
【技術分野】
【０００１】
本発明は、入浴用泡又は泡より流量の多い湯水を吐出させる吐出具に関するものである。
【背景技術】
【０００２】
従来、泡で入浴ができる泡式入浴システムとしては、浴槽と、浴槽に温かな泡（以下、「温泡」と言う。）を供給する温泡供給装置と、浴槽内に向けて温泡を吐出させる吐出口と、温泡供給装置と吐出口を連通させる温泡供給路（ダクト）とを備えたものがある（特許文献１，特許文献２）。
【０００３】
また、湯水を浴槽内に向けて吐出させる温水用吐水具としては、湯水を供給する湯水供給路に上流側を連通させると共に湯水を滝状に浴槽内に向けて吐出させる幅広の吐水口へ至る下流側の吐水路を設けた温水用吐水具が知られている（特許文献３）。
【先行技術文献】
【特許文献】
【０００４】
【特許文献１】特開２００３−１１６７３０号公報
【特許文献２】特開２００２−７８７７０号公報
【特許文献３】特開２００１−２３１７００号公報
【発明の概要】
【発明が解決しようとする課題】
【０００５】
ところで、泡及び湯水の一方を選択的に浴槽内へ吐出させる入浴システムを得るために、泡用吐出具と温水用吐水具を別個に設けることは、浴槽の回りが煩雑となって使い勝手が非常に悪くなる。そこで、何れか一方の吐出具を設けて兼用させることが考えられる。しかし、泡供給装置の大きさ及びコストを考慮すると、供給する泡の流量を湯水より少なくするのが一般的な仕様となるため、泡用吐出具で流量の多い湯水を吐出させることは流量的に難しく、また、幅広の吐水口を有する温水用吐水具で流量の少ない泡を吐出させることは、吐水口から滝状に泡が吐出することなく複数の筋状となって吐出する等して吐出パターンが安定しない。
【０００６】
そこで、本発明は、幅広の吐水口を有する一つの吐出具から入浴用泡又は泡より流量の多い湯水を吐出させるときの吐出パターンを安定させることができる泡・湯水用吐出具の提供を目的とする。
【課題を解決するための手段】
【０００７】
一つの吐出具から入浴用泡と泡より流量の多い湯水を選択的に吐出させるときの吐出パターンを安定させるために請求項１記載の本発明が採用した手段は、入浴用泡を供給する泡供給路及び泡より流量の多い湯水を供給する湯水供給路にノズル流路の上流側を連通させると共にノズル流路の下流端に吐出口を開設したノズルを備え、選択的に供給される泡又は湯水を吐出口から吐出させるようにした泡・湯水吐出具であって、ノズル流路は、上流側から吐出口へ向かう縦方向を横断する横方向に沿った幅寸法を厚み寸法より大きく形成した全体領域を横方向でスリット領域と拡大領域とに区分し、スリット領域がその幅寸法をその厚み寸法より大きくし、拡大領域がその厚み寸法をスリット領域の厚み寸法より大きくし且つその幅寸法をその厚み寸法と同等又はそれ以上とし、湯水を全体領域から吐出させると共に、泡を拡大領域から吐出させるようにしたことを特徴とする泡・湯水用吐出具である。
【０００８】
泡を吐流路の中央寄りから吐出させるために請求項２記載の本発明が採用した手段は、両側のスリット領域の間に拡大領域を形成した請求項１記載の泡・湯水用吐出具である。
【０００９】
なお、入浴者の両肩近辺へ吐出できるようにするために、枕を横方向から挟む両側の各々に、泡・湯水用吐出具を配置することもある。また、湯水及び／又は泡の流量を変更する仕様に対応できるようにするために、泡・湯水用吐出具は、泡供給路及び湯水供給路に連通させた凹部を形成した吐水具本体部と、吐水具本体部の凹部へ着脱自在に挿着したノズルとで構成することもある。更に、泡・湯水吐出具は、吐出位置を任意に調整できるように、吐出方向を下向きから上向きまでの範囲で自在に動かすことができるように構成することもある。
【発明の効果】
【００１０】
請求項１記載の本発明に係る泡・湯水用吐出具は、流量の多い湯水をスリット領域及び拡大領域からなる全体領域から幅方向全域にわたって連続に吐出せると共に、流量の少ない泡を拡大領域から吐出させることで、吐出パターンを安定させることができる。
【００１１】
請求項２記載の本発明に係る泡・湯水用吐出具は、泡を吐水路の中央寄りとなる拡大領域から吐出させることができる。
【図面の簡単な説明】
【００１２】
【図１】本発明に係る泡・湯水用吐出具を備えた入浴システムの実施の形態を示すものであって、図（Ａ）は浴槽を断面して示す概略図、図（Ｂ）は浴槽を示す平面図である。
【図２】本発明に係る泡・湯水用吐出具の実施の形態を示すものであって、図（Ａ）は断面した右側面図、図（Ｂ）は図（Ａ）のｂ−ｂで部分断面した平面図、図（Ｃ）は図（Ａ）の矢符ｃから見た正面図である。
【図３】同実施の形態において、泡・湯水用吐出具の吐水具本体部からノズルを分離した状態を示すものであって、図（Ａ）は部分断面した右側面図、図（Ｂ）は図（Ａ）のｂ−ｂで断面した平面図である。
【図４】同実施の形態における分離したノズルを示すものであって、図（Ａ）は正面図、図（Ｂ）は平面図、図（Ｃ）は背面図、図（Ｄ）は右側面図、図（Ｅ）は断面した平面図、図（Ｆ）は断面した右側面図である。
【図５】入浴システムに備えた泡供給装置を示す断面図である。
【図６】本発明に係る泡・湯水用吐出具を備えた入浴システムにおける湯水供給装置の別態様を示す概略図である。
【図７】本発明に係る泡・湯水用吐出具の異なる実施の形態を示すものであって、図（Ａ）は断面した平面図、図（Ｂ）は正面図である。
【発明を実施するための形態】
【００１３】
本発明に係る泡・湯水用吐出具（以下、「本発明吐出具」と言う。）を図面に示す実施形態に基づいて説明する。
【００１４】
（第１の実施の形態）
図１乃至図６は本発明吐出具の第１の実施の形態を示すものであり、本発明吐出具１（本例は二組の本発明吐出具１，１）を備えた入浴システムは、図１に示す如く、本発明吐出具１，１の他に、浴槽２と、入浴に適した温度の泡を供給する泡供給装置３と、適温の湯水を供給する湯水供給装置４と、本発明吐出具１，１の上流側に泡供給装置３及び湯水供給装置４を切替可能に接合する切替装置５とを備え、切替装置５の切替で本発明吐出具１，１から浴槽２の槽内２ａへ泡のみ又は湯水のみを吐出Ｊできるようにしてあり、湯水供給装置４の湯水供給路４ａから本発明吐出具１，１へ供給される湯水の総流量Ｑｗが泡供給装置３の泡供給路３ａから本発明吐出具１，１へ供給される泡の総流量Ｑｂより多くなるように設定してある。設定する流量は、例えば、湯水供給路４ａから供給される湯水の総流量Ｑｗを１０リッター／分で、泡供給路３ａから供給される泡の総流量Ｑｂを５リッター／分としてある。
【００１５】
前記泡供給装置３は、図５に示す如く、泡発生部１０、空気供給部１１及び泡剤供給部１２から構成されている。泡発生部１０は、泡剤入りの湯水１３を貯溜する容器体１４と、湯水１３をバブリングするためのノズル１５と、湯水１３を設定温度に加熱する電気ヒータ等からなる加熱具１６と、容器体１４内の湯水１３の液量（水位）を検知する液面センサ１７とを備えている。泡剤供給部１２は、湯水供給装置４の後述する第３湯水供給路４ｃから供給される湯水に、泡の発生を促進すると共に消泡し難くして泡の維持を図るための泡剤（例えば、糖質液，オイル又は洗剤液等）を設定割合で混入して泡剤入りの湯水１３を調製しつつ、液面センサ１７の検出信号に基づいて湯水１３を容器体１４内に供給して、湯水１３の水面ＷＬが設定水位となるようにしてある。容器体１４は、その上部に、発生した泡Ｈｂ（泡の平均外径が１００〜３００μｍ）を放出する泡放出口１４ａを有し、泡放出口１４ａに泡供給路３ａが接続されている。バブリング用ノズル１５は、空気噴出孔１５ａが分散して設けられ、空気供給部１１のコンプレッサから供給された圧縮空気を空気噴出孔１５ａから噴出する際に、泡剤入りの湯水１３内に泡を発生させる（バブリング）。泡供給装置３は、泡剤供給部１２における第３湯水供給路４ｃとの接合部に設けた湯水用開閉弁１８及びノズル１５と空気供給部１１の間に設けた圧縮空気用開閉弁１９の開閉操作で泡Ｈｂの発生又は停止を行なうようにしてある。
【００１６】
前記湯水供給装置４は、本例では、図１（Ａ）に示す如く、浴槽２に設けた吸引口具２１から浴槽内２ａの湯水Ｈｗをポンプ２３でポンプアップして、本発明吐出具１，１へ通じる第１湯水供給路４ａ、浴槽２に設けた噴出口具２２に通じる第２湯水供給路４ｂ及び泡供給装置３に通じる第３湯水供給路４ｃヘ湯水を供給するようにしてある。湯水供給装置４は、本発明吐出具１，１に直結する第１湯水供給路４ａへ供給する湯水の流量を、泡供給装置３に通じる第３湯水供給路４ｃへ供給する湯水の流量に比べて多くしてある。湯水供給装置４は、浴槽内２ａの湯水をポンプアップして供給する態様の他に、図６に示す如く、給湯器から出湯する設定温度の湯水を第１湯水供給路４ａ及び第３湯水供給路４ｃの選択された一方ヘ供給するように構成することもある。
【００１７】
前記切替装置５は、図１（Ａ）に示す如く、湯水供給路４ａに設けた第１開閉弁２４と、泡供給路３ａに設けた第２開閉弁２５とを備え、湯水供給路４ａ及び泡供給路３ａの選択した一方と本発明吐出具１，１の上流側とを連通させるように第１開閉弁２４及び第２開閉弁２５を電磁操作具又は手動操作具で開閉操作するようにしてある。第２開閉弁２５は、閉じることで、湯水供給路４ａから供給される湯水が泡供給装置３へ逆流するのを阻止することができる。
【００１８】
前記二組の本発明吐出具１，１は、図１及び図２に示す如く、泡を供給する泡供給路３ａ及び泡より流量の多い湯水を供給する第１湯水供給路４ａに切替具５を介してノズル流路３２の上流側３２ａを連通させると共に、ノズル流路３２（図２参照）の下流端に開設した吐出口３３から選択的に供給される泡又は湯水を浴槽２の槽内２ａへ吐出させるようにしてある。各組の本発明吐出具１は、図２（Ａ）に示す如く、泡供給路３ａ及び第１湯水供給路４ａに連通する流路３４ａ−１とノズル挿着域３４ａ−２とを有する凹部３４ａを形成した吐水具本体部３４と、ノズル挿着域３４ａ−２へ着脱自在に挿着するノズル３１とを備え、凹部３４ａの流路３４ａ−１へ供給される泡又は湯水をノズル３１のノズル流路３２へ導いて吐出口３３から吐出すようにしてある。各組の本発明吐出具１は、吐水具本体部３４の配管を兼ねた脚部３４ｂを備え、浴槽リム部２ｂの挿通孔２ｃへ脚部３４ｂを挿通させて、脚部３４ｂに形成したフランジ３４ｃと脚部３４ｂに螺着したナット３５で挿通孔２ｃの周縁を挟圧した状態で固定配置されている。脚部３４ｂは、切替装置５を介して泡供給路３ａ及び第１湯水供給路４ａと凹部３４ａの流路３４ａ−１とを連通する流路３４ｂ−１が形成されている。吐水具本体部３４に形成した凹部３４ａの流路３４ａ−１は、脚部３４ｂの流路３４ｂ−１から供給された湯水又は泡の流速を一旦減速させて静圧を高め、ノズル３１のノズル流路３２の左右幅方向へ分散させて円滑に供給できる大きさに形成してある。本発明吐出具１は、本例では、図１に示す如く、枕２８を横方向（本例は左右方向）から挟むようにして左右両側に一組づつ配置してあるが、枕２８と切り離して一組だけを備えることもある（図示略）。
【００１９】
前記ノズル３１のノズル流路３２は、図２に示す如く、上流側３２ａから吐出口３３へ向かう縦方向を横断する横方向（左右方向）に沿った幅寸法Ｅｗを厚み寸法（最大寸法である後述する拡大領域Ｇの厚み寸法Ｇｔとなる。）より大きいく形成した全体領域Ｅを、横方向でスリット領域Ｆ（本例ではスリット領域Ｆは左右の領域Ｆ１，Ｆ２に分割されている。）と拡大領域Ｇとに区分し、スリット領域Ｆがその幅寸法Ｆｗ（本例では、幅寸法Ｆｗは、各領域Ｆ１，Ｆ２の幅寸法Ｆ１ｗ，Ｆ２ｗの総和となる。）をその厚み寸法Ｆｔより大きくし、拡大領域Ｇがその厚み寸法Ｇｔをスリット領域Ｆの厚み寸法Ｆｔより大きくし且つその幅寸法Ｇｗをその厚み寸法Ｇｔと同等又はそれ以上とし、湯水Ｈｗを全体領域Ｅ（スリット領域Ｆ及び拡大領域Ｇ）から吐出させると共に、泡Ｈｂを拡大領域Ｇのみから吐出させるようにスリット領域Ｆ及び拡大領域Ｇの幅寸法及び厚み寸法を設定してある。吐出口３３は、全体領域Ｅをスリット領域Ｆと拡大領域Ｇとに区画することにより、スリット領域Ｆの吐出口３３ａ及び拡大領域Ｇの吐出口３３ｂに区画されることになる。拡大領域Ｇには、案内片３６が必要に応じて設けられ、通過する泡を拡大領域Ｇの吐出口３３ｂへ向かう流れを安定させるようにしてある。
【００２０】
図１（Ｂ）に示す枕２８の左右両側に本発明吐出具１を一組づつ配置した本例において、各組の本発明吐出具１が分担して吐出する湯水の流量を５．０リッター／分で、泡の流量を２．５リッター／分としたとき、各組の本発明吐出具１のノズル３１におけるノズル流路３２の寸法は、図２に示す如く、次の通りに設定される。スリット領域Ｆの左右の領域Ｆ１，Ｆ２は、湯水及び泡の供給圧力並びに泡の流動のし易さ等によって異なるが、流入側の幅寸法Ｆ１ｗｉ及びＦ２ｗｉの各々が１６〜２０ｍｍ（一般的には１８ｍｍ）、流出側（吐出口側）の幅寸法Ｆ１ｗｏ及びＦ２ｗｏの各々が２０〜２４ｍｍ（一般的には２２ｍｍ）であって、厚み寸法Ｆｔが全域で１．３〜１．７ｍｍ（一般的には１．５ｍｍ）である。また、拡大領域Ｇは、幅み寸法Ｇｗが全域で１７〜２１ｍｍ（一般的には１９ｍｍ）であって、厚み寸法Ｇｔが全域で３．３〜３．７ｍｍ（一般的には３．５ｍｍ）である。ノズル流路３２の上流側３２ａから吐出口３３へ向かう縦方向に沿った奥行き寸法Ｄは、４０〜５０ｍｍ（一般的には４５ｍｍ）としてある。スリット領域Ｆの左右の領域Ｆ１（Ｆ２）は、末広がりとすることなく、流入側の幅寸法Ｆ１ｗｉ（Ｆ２ｗｉ）と流出側（吐出口側）の幅寸法Ｆ１ｗｏ（Ｆ２ｗｏ）を同一とすることも可能である。
【００２１】
本発明吐出具１における吐水具本体部３４に対するノズル３１の着脱構造は、図２及び図３に示す如く、吐水具本体部３４に設けた凹部３４ａにノズル３１を着脱自在に挿着できるようにすると共に、吐水具本体部３４の内側面に設けた前後方向（ノズル３１の抜差し方向）の切込み凹部３９（本例では４箇所）にノズル３４の外側面に突設した差込片４０（本例では４箇所）を無理バメ状態で差し込むこようにして、ノズル３４に加わる水圧でノズル３４が離脱しないようにしてある。なお、本発明吐出具１は、無理バメ状態で差し込んでノズル３４を離脱させないようにする以外に、吐水具本体部３４の外側からねじ込んだビスをノズル３４に連結させる離脱防止構造を採用することも可能である。本発明吐出具１は、ノズル３１にシールリング３７を外嵌挿着させ、吐水具本体部３４の凹部３４ａの内周面にシールリング３７を密着させて、吐水具本体部３４とノズル３１の隙間から液漏れしないようにしてある。
【００２２】
本発明吐出具１は、ノズル３４の離脱を容易にするために、図２（Ａ）に示す如く、吐水具本体部３４に工具挿入用開口部３４ｄを開設すると共にノズル３１に引掛け凹部４１を凹設し、ドライバー等からなる引抜き工具４２を工具挿入用開口部３４ｄを介して引掛け凹部４１に引掛けて、ノズル３４を離脱方向である手前側へ引抜き工具４２で引き抜いて離脱させるようにしてある。
【００２３】
本発明吐出具１は、本例では吐水具本体部３４の凹部３４ａにノズル３１を着脱自在に挿着する構造にしてあるが、吐水具本体部３４とノズル３１を一体に形成した構造（図示略）とすることも可能である。
【００２４】
次に、本発明吐出具１，１から浴槽内２ａへ湯水Ｈｗのみ又は泡Ｈｂのみを吐出Ｊさせるときの動作態様を説明する。
（湯水Ｈｗのみを吐出させる動作態様）
図１及び図２に示す如く、湯水供給装置４の第１湯水供給路４ａの第１開閉弁２４を開くと共に泡供給装置３の泡供給路３ａの第２開閉弁２５を閉じ、起動中のポンプ２３でポンプアップした浴槽内２ａの湯水Ｈｗの一部を、第１湯水供給路４ａ及び吐水具本体部３４の流路３４ｂ−１，３４ａ−１を通過させてノズル流路３１のスリット領域Ｆ（Ｆ１及びＦ２）及び拡大領域Ｇからなる全体領域Ｅへ導き、吐出口３３から浴槽内２ａへ湯水Ｈｗを吐出Ｊさせる。起動中のポンプ２３でポンプアップした湯水Ｈｗの残部は、噴出口具２２から浴槽内２ａへ噴出される。
【００２５】
（泡Ｈｂのみを吐出させる態様）
湯水供給装置４の第１湯水供給路４ａの第１開閉弁２４を閉じると共に泡供給３ａの泡供給路３ａの第２開閉弁２５を開き、起動中のポンプ２３でポンプアップした浴槽内２ａの湯水Ｈｗの一部を第３湯水供給路４ｃから泡供給装置３へ供給し、泡供給装置３で発生した泡Ｈｂを、泡供給路３ａ，吐水具本体部３４の流路３４ｂ−１，３４ａ−１を通過させてノズル流路３１の拡大領域Ｇへ順次導き、拡大領域Ｇの吐出口３３から浴槽内２ａへ湯水Ｈｗを吐出させる。少量の泡は、通過するときの圧力損失がスリット領域Ｆ（Ｆ１及びＦ２）に比べて小さい拡大領域Ｇを通過することになる。拡大領域Ｇを通過する泡は、スリット領域Ｆ（Ｆ１及びＦ２）へ流れようとする泡を、その動圧により拡大領域Ｇへ引き込むことになる。なお、起動中のポンプ２３でポンプアップした湯水Ｈｗの残部は、噴出口具２２から浴槽内２ａへ噴出される。
【００２６】
本発明吐出具１は、流量の多い湯水Ｈｗをスリット領域Ｆ（Ｆ１及びＦ２）及び拡大領域Ｇからなる全体領域Ｅから幅方向全域にわたって連続に吐出せると共に、流量の少ない泡Ｈｂを拡大領域Ｇのみから吐出させることで、一つの吐出口３３から入浴用泡Ｈｂと泡より流量の多い湯水Ｈｗを選択的に吐出させるときの吐出パターンを安定させることができる。
【００２７】
（第２の実施の形態）
図７は第２の実施の形態を示すものであって、本実施の形態に係る本発明吐出具５１は、ノズル３１のノズル流路３２の全体領域Ｅを、一つのスリット領域Ｆと拡大領域Ｇとに区分した点が前記第１の実施の形態に係る本発明吐出具１と大きく異なり、その他の部分については第１の実施の形態と実質的に同一であり、図７において図１乃至図６と同一符号は相当部分を示す。
【符号の説明】
【００２８】
１…本発明吐出具、３…泡供給装置、３ａ…泡供給路、４…湯水供給装置、４ａ…第１湯水供給路、５…切替具、３１…ノズル、３２…ノズル流路、３２ａ…上流側、３３…吐出口、３４…吐水具本体部、３４ａ…凹部、３４ａ−１…流路、３４ａ−２…ノズル挿着域、３４ｂ…脚部、３４ｂ−１…流路、３４ｃ…フランジ、Ｄ…ノズル流路の奥行き寸法、Ｅ…全体領域、Ｅｗ…幅寸法、Ｆ…スリット領域、Ｆｗ…幅寸法、Ｆｔ…厚み寸法、Ｆ１…一方（左）の領域、Ｆ１ｗ…幅寸法、Ｆ２…他方（右）の領域、Ｆ２ｗ…幅寸法、Ｇ…拡大領域、Ｇｗ…幅寸法、Ｇｔ…厚み寸法、Ｈｂ…泡、Ｈｗ…湯水
【図１】
2011130911.tif 000003
【図２】
2011130911.tif 000004
【図３】
2011130911.tif 000005
【図４】
2011130911.tif 000006
【図５】
2011130911.tif 000007
【図６】
2011130911.tif 000008
【図７】
2011130911.tif 000009